(57)【要約】      （修正有）【課題】簡易に取り扱うことができ、継続して広い範囲に亘ってユーザに冷却効果を与えることができる冷感生地及びその冷却生地を含む繊維製品を提供する。【解決手段】生地本体２と、生地本体の表面上に規則的に配置された複数の熱伝導体３と、を具備し、生地本体の表面及び複数の熱伝導体がユーザの皮膚に接触することで、ユーザに冷感を与える冷感生地１であって、冷感タオル１０及び冷感衣類などの繊維製品に適用可能である。【選択図】図１
0003234709.tif 000002
【実用新案登録請求の範囲】
【請求項１】
生地本体と、
前記生地本体の表面上に規則的に配置された複数の熱伝導体と、を具備し、
前記生地本体の前記表面及び前記複数の熱伝導体がユーザの皮膚に接触することで、前記ユーザに冷感を与えること、
を特徴とする冷感生地。
【請求項２】
前記複数の熱伝導体がアルミニウム又はその合金で作製されること、
を特徴とする請求項１に記載の冷感生地。
【請求項３】
請求項１又は２に記載の冷感生地を含む冷感繊維製品。
【請求項４】
前記冷感生地をタオル地として含む請求項３に記載の冷感繊維製品。
【請求項５】
前記冷感生地を衣類の生地として含み、
前記冷感生地における前記複数の熱伝導体側の表面が内面側に配置される請求項３に記載の冷感繊維製品。
【考案の詳細な説明】
【技術分野】
【０００１】
本考案は、接触によりユーザに冷感を与える生地、並びに、その生地を含む繊維製品に関する。
【背景技術】
【０００２】
例えば特許文献１，２（実用新案登録第３１１９９４３号公報及び特開２００５−２２０５０２号公報）のように、固定部ないし収納部に収容した冷却剤によりユーザに冷却効果を与える、衣類・タオル等の繊維製品が知られている。
【先行技術文献】
【特許文献】
【０００３】
【特許文献１】実用新案登録第３１１９９４３号公報
【特許文献２】特開２００５−２２０５０２号公報
【考案の概要】
【考案が解決しようとする課題】
【０００４】
もっとも、特許文献１，２の繊維製品では、冷却剤が解けると十分な冷却効果を得られない。また、生地と保冷剤は別々の物品であるので、それぞれ分けて管理する必要がある。使用する度に保冷剤を冷凍し、タオルに取り付けなければならず、使用後には生地から保冷剤を取り外してそれぞれを洗い、それぞれ分けて保管しなければならない。しかも、冷凍した保冷剤は固く、使用時にユーザに固い感触がある。さらに、保冷剤の当たる範囲のみが冷却される。
このように従来の冷感生地及び冷感繊維製品には解決すべき課題が未だ残っている。
【０００５】
そこで、本考案の目的は、簡易に取り扱うことができ、継続して広い範囲に亘って冷却効果を得ることができる冷感生地及びその冷却生地を含む繊維製品を提供することにある。
【課題を解決するための手段】
【０００６】
上記の課題を解決すべく、本考案は、
生地本体と、
前記生地本体の表面上に規則的に配置された複数の熱伝導体と、を具備し、
前記生地本体の前記表面及び前記複数の熱伝導体がユーザの皮膚に接触することで、前記ユーザに冷感を与えること、
を特徴とする冷感生地、を提供する。
【０００７】
上記の本考案のファン付き衣服においては、前記複数の熱伝導体がアルミニウム又はその合金で作製されること、が好ましい。
【０００８】
また、本考案は、上記の冷感生地を含む冷感繊維製品をも提供する。冷感繊維製品は、例えば、前記冷感生地をタオル地として含んでいてもよい。あるいは、冷感繊維製品は、前記冷感生地を衣類の生地として含み、前記冷感生地における前記複数の熱伝導体側の表面が内面側に配置されるようにしてもよい。
【考案の効果】
【０００９】
本考案によれば、簡易に取り扱うことができ、継続して広い範囲に亘って冷却効果を得ることができる冷感生地及びその冷却生地を含む繊維製品を提供することができる。
【図面の簡単な説明】
【００１０】
【図１】本考案の実施形態１に係る冷感タオル１０の斜視図である。
【図２】冷感タオル１０の正面図、背面図、上面図及び右側面図である。
【図３】本考案の実施形態２に係る冷感衣類２０のおもて面の概略図である。
【図４】冷感衣類２０の内面の概略図である。
【考案を実施するための形態】
【００１１】
以下、本考案の代表的な実施形態に係る冷感生地及び冷感繊維製品について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１２】
１．実施形態１：冷感タオル
図１及び図２を参照して、本考案の実施形態１を説明する。
実施形態１では、冷感生地１が適用された冷感繊維製品の例として冷感タオル１０を挙げる。すなわち、冷感タオル１０は、タオル地の少なくとも１面に冷感生地１を含む。
【００１３】
まず冷感生地１について説明すると、冷感生地１は、生地本体２及び複数の熱伝導体３を含む。生地本体２は、例えばポリエステル、ポリウレタン、ナイロン（登録商標）、アクリル等の合成繊維や、綿や麻等の天然繊維等の一般的な生地の素材で作製される。あるいは、生地本体２は、接触冷感機能を備えた複合素材（例えば、レーヨン、キュプラ、あるいは、芯にポリエステル、鞘にエバールを用いた芯鞘複合繊維など）で作製されてもよい。
【００１４】
複数の熱伝導体３は、生地本体２の表面に規則的に配置される。本実施形態では、複数の熱伝導体３は、生地本体２における１つの面に配置されているが、生地本体の両面に配置されてもよいものとする。個々の熱伝導体３は、生地本体２上に、例えば、接着時による接着や、生地本体２との間における熱融着による接着等によって取り付けられる。
【００１５】
熱伝導体３としては、熱伝導率に優れた素材であれば何でもよいが、重量や加工の容易性等の観点から、とりわけアルミニウム及びその合金が好適に用いられる。また、その形状は、ユーザの肌に接触した際に痛み等を付与しないものであれば特に制限されず、略板状、略円盤状、略粒状又は略球状のいずれであってもよく、複数の形状の熱伝導体を用いてもよい。いずれの場合であっても、端部が丸みを帯びていてもよい。
【００１６】
個々の熱伝導体３の外径は、１ｍｍ〜１５ｍｍ程度であればよく、３ｍｍ〜１０ｍｍ程度であるのが好ましく、３ｍｍ〜５ｍｍ程度であるのが更に好ましい。また、隣り合う熱伝導体３の間の好ましい配置間隔（隣接する熱伝導体同士の間の距離）は、本考案の効果が得られる範囲であれば特に制限はないが、かかる効果を確実に得るためには、下限は５ｍｍであればよく、１０ｍｍであるのが好ましく、上限は１００ｍｍであればよく、５０ｍｍであるのが好ましく、４０ｍｍであるのが特に好ましい。。更に、熱伝導体３は、生地本体２において１％〜１０％の割合の面積を占めることが好ましい。
【００１７】
上記の構成を有する冷感タオル１０は、生地本体２の表面及び複数の熱伝導体３がユーザの皮膚に接触することで、吸着熱効果と気化熱効果というダブルの冷却効果によりユーザを冷却する。
【００１８】
また、冷感タオル１０は、生地本体２と複数の熱伝導体３とが一体化していることから、容易に保管できるとともに、交換の必要等がなく簡易に取り扱うことができる。しかも、複数の熱伝導体３が生地本体２の所望の範囲に満遍なく配置されているから、冷感タオル１０は、広い範囲に亘って冷却効果を与えることができる。
【００１９】
２．実施形態２：冷感衣類
図３及び図４を参照して、本考案の実施形態２を説明する。
実施形態２では、冷感生地１が適用された冷感繊維製品の他の例として冷感衣類２０を挙げる。図面では、冷感衣類２０は長袖シャツとして描かれているが、冷感衣類２０は半袖シャツでもよいし、袖なしシャツでもよいし、シャツ以外の衣類でもよい。
【００２０】
すなわち、冷感衣類２０は、冷感生地１を含み、冷感生地１における複数の熱伝導体３側の表面が内面側に配置されている。あるいは、冷感衣類２０の裏地として冷感生地１が用いられていると言ってもよい。
【００２１】
冷感生地１としては、実施形態１で説明した冷感生地を用いることができる。図面では、冷感生地１は冷感衣類２０の内面全域に配置されているが、冷感生地１は冷感衣類２０における特定の部分（例えば胴体部分だけ、前身頃だけ、後身頃だけ等）に配置されてもよい。
【００２２】
冷感衣類２０は、ユーザに着用されると、生地本体２及び熱伝導体３とユーザの皮膚との接触により、ユーザに対して「吸着熱効果」と「気化熱効果」のダブルの冷却効果を与える。冷感衣類２０を水に濡らし少し絞って使うと、より冷感が得られる。
【００２３】
また、冷感衣類２０は、生地本体２と複数の熱伝導体３とが一体化していることから、容易に保管できるとともに、交換の必要等がなく簡易に取り扱うことができる。しかも、複数の熱伝導体３が生地本体２の所望の範囲に満遍なく配置されているから、冷感衣類２０は、ユーザの身体の広い範囲に亘って冷却効果を与えることができる。
【００２４】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【００２５】
実施形態１，２では、冷感生地１を適用した繊維製品（乃至は布製品）の一例として冷感タオル１０及び冷感衣類２０を挙げたが、他の例として、ユーザの肌と接触し得る繊維製品であれば広く適用することができる。例えば、帽子用日除け、ネックカバー、ハンドカバー、パンツ、下着、ヘッドキャップ、アームカバー、マスク、シャツ、タオル、マット、タオルケット、枕カバー、敷パッド、フェイスカバー等が挙げられる。
【符号の説明】
【００２６】
１  冷感生地
２  生地本体
３  熱伝導体
１０  冷感タオル
２０  冷感衣類
【図１】
0003234709.tif 000003
【図２】
0003234709.tif 000004
【図３】
0003234709.tif 000005
【図４】
0003234709.tif 000006